(57)【要約】【課題】ハンドルの誤操作による栓棒等の損傷を防止することができる止水栓を提供すること。【解決手段】回転規制用ピン２０を栓本体２の一部に当接させることにより９０度だけ回転可能に設けた栓棒１５と、ガイドピン２７を備えた筒部材２５と、ガイドピンに係合可能な係合溝及び栓棒の頭部に嵌合可能な凹部を形成したハンドル３０とからなる止水栓１において、栓棒１５の頭部に９０度間隔で突起部１７ａ，１７ｂを設け、通路の開放状態にて、栓棒１５の一方の突起部１７ａをガイドピン２７の位置に合致させてハンドルの着脱を可能とし、通路の閉鎖状態にて、栓棒１５の他方の突起部１７ｂをガイドピン２７の位置に合致させてハンドルの着脱を可能とし、かつ、その閉鎖状態においてハンドル３０を開放位置の向きにて装着する際に、同ハンドルの軸部端面３１ａが栓棒１５の一方の突起部１７ａに当接しハンドル３０を装着することができないようにした。【選択図】図１
2010043659.tif 000002
【特許請求の範囲】
【請求項１】
水の通路を開閉するボール形弁を内装した栓本体と、そのボール形弁に先端部を連結すると共に径方向へ突出する回転規制用突部を該栓本体の一部に当接させることにより所定角度範囲だけ回転可能に設けられた栓棒と、その栓本体に固定されていて該栓棒の頭部を臨ませるガイド孔及び当該ガイド孔の径方向へ突出するガイドピンを備えた筒部材と、そのガイドピンに係合可能な係合溝及び該栓棒の頭部に嵌合可能な凹部が形成された軸部を備えたレバー形のハンドルとからなる止水栓において、
前記栓棒の頭部側縁に当該栓棒の回転角度と同一角度間隔で突起部を夫々設け、前記通路の開放状態にて、栓棒の一方の突起部を前記ガイドピンの位置に合致させて前記ハンドルの着脱を可能とし、前記通路の閉鎖状態にて、栓棒の他方の突起部を前記ガイドピンの位置に合致させて前記ハンドルの着脱を可能とし、かつ、その閉鎖状態においてハンドルを開放位置の向きにて装着する際に、同ハンドルの軸部の端面が栓棒の一方の突起部に当接して前記凹部が当該栓棒の頭部に嵌合しないように構成したことを特徴とする止水栓。
【請求項２】
前記栓棒の頭部をセレーション軸とし、前記ハンドルの凹部に該セレーション軸に対応する溝を設けたことを特徴とする請求項１に記載の止水栓。
【請求項３】
前記栓棒の回転角度を９０度としたことを特徴とする請求項１又は請求項２に記載した止水栓。
【発明の詳細な説明】
【技術分野】
【０００１】
本発明は、水道用メータ等の近くに設置される盗水防止機能を有する止水栓に関する。
【背景技術】
【０００２】
この種の止水栓は、水道水の通路を開閉操作する特殊のハンドルを栓本体に着脱自在とした構造とされていて、行政側の水道管理者や特定の水道工事人のみがハンドルを所持し、一般の利用者が勝手に開閉操作を行なうことができないようにされている。
【０００３】
例えば、特許文献１の盗水防止用止水栓は、栓体（ボール形弁）と下端を係合させるステム（栓棒）の上面にスリットを設け、栓本体に螺着されるナットの上縁部にスリットに連通可能な凹溝を設け、ハンドル軸の下端にスリットに係合自在なキーを設けて、同ハンドル軸がキーカバーを介してナットに着脱可能にされた構造とされている。
【０００４】
上記従来の止水栓では、ハンドル軸を抜取った後でも栓体の開閉位置をステムのスリット方向によって外部から視認可能であるので、次の切り替え操作を正確に行なえるとしている。しかし、ナットの凹溝からスリットを覗くことになるので、設置現場にてスリット方向を確認することは必ずしも容易ではないだろう。また、凹溝を十字方向に設けている場合には、例えスリットが管軸方向であれば開栓、管軸と直交する方向であれば閉栓として組み立てられていても、ハンドル軸のキーは何れの向きの凹溝にも係合するために開閉状態を誤認する虞がある。
【０００５】
従来の他の止水栓を図６に示す。この止水栓ｖは、ボール形弁ｃを内装した栓本体ｂと、ボール形弁ｃに先端部を連結すると共に軸心と直交する方向に突出する回転規制ピンｅを栓本体の一部に当接させることにより９０度の角度範囲内で回転可能に設けられた栓棒ｄと、栓本体ｂに固定されていて栓棒ｄの頭部ｆを臨ませるガイド孔ｈ及び当該ガイド孔の中心と直交する方向へ突出するガイドピンｉを備えたキャップ部材ｇと、ガイドピンｉに係合可能な逆U字形の係合溝ｍ及び栓棒ｄの頭部ｆに嵌合可能な凹部ｎが形成されたレバー形ハンドルｋとから構成されている。なお、ハンドルｋの係合溝ｍについては、軸心を中心とする一方の縦溝と他方の縦溝との角度間隔を栓棒ｄの回転角度に合わせて９０度に設けられている。
【０００６】
そして、ボール形弁が通路を開放した状態の場合、図７に実線で示すように、ハンドルはレバー部を通水方向と同じ方向として栓本体に装着することができる。ハンドルの装着時において、ハンドルの係合溝はガイドピンに係合すると共に同ハンドルの凹部は栓棒の頭部に嵌合した状態となる。また、実線位置にあるハンドルを９０度回転させると、ボール形弁が通路を閉鎖した状態になってハンドルを外すことができる。
なお、通路が閉鎖又は開放された場合において、栓棒の回転規制ピンは栓本体の一部に当接した状態にされる。また、栓棒の上面には、通水方向を表示するための直線形溝が設けられているが、土埃等が溝をふさいで表示の確認がしにくいことがある。
【０００７】
しかして、ボール形弁により通路が閉鎖されて回転規制ピンが栓本体の一部に当接した状態においても、レバー部を通水方向と同じ方向にしてハンドルを栓本体に装着することができることから、通路が開放されているとうっかり勘違いしてハンドルを装着し、さらに閉鎖操作を行なってしまうことがあった。このときには、通常時と異なる大きな外力によって回転規制ピンが栓本体の一部に押し付けられるので、回転規制ピンが破損してしまう不具合を生ずる虞がある。
【特許文献１】実開平４―９５１８２号
【発明の開示】
【発明が解決しようとする課題】
【０００８】
本発明の目的は、ハンドルの誤操作による栓棒等の損傷を防止することができる止水栓を提供することにある。
【課題を解決するための手段】
【０００９】
前記目的を達成するために請求項１に記載した発明は、水の通路を開閉するボール形弁を内装した栓本体と、そのボール形弁に先端部を連結すると共に径方向へ突出する回転規制用突部を該栓本体の一部に当接させることにより所定角度範囲だけ回転可能に設けられた栓棒と、その栓本体に固定されていて該栓棒の頭部を臨ませるガイド孔及び当該ガイド孔の径方向へ突出するガイドピンを備えた筒部材と、そのガイドピンに係合可能な係合溝及び該栓棒の頭部に嵌合可能な凹部が形成された軸部を備えたレバー形のハンドルとからなる止水栓において、
前記栓棒の頭部側縁に当該栓棒の回転角度と同一角度間隔で突起部を夫々設け、前記通路の開放状態にて、栓棒の一方の突起部を前記ガイドピンの位置に合致させて前記ハンドルの着脱を可能とし、前記通路の閉鎖状態にて、栓棒の他方の突起部を前記ガイドピンの位置に合致させて前記ハンドルの着脱を可能とし、かつ、その閉鎖状態においてハンドルを開放位置の向きにて装着する際に、同ハンドルの軸部の端面が栓棒の一方の突起部に当接して前記凹部が当該栓棒の頭部に嵌合しないように構成したことを特徴とする。
【００１０】
同様の目的を達成するために請求項２に記載した発明は、請求項１に記載の止水栓において、前記栓棒の頭部をセレーション軸とし、前記ハンドルの凹部に該セレーション軸に対応する溝を設けたことを特徴とするものである。
【００１１】
同様の目的を達成するために請求項３に記載した発明は、請求項１又は請求項２に記載した止水栓において、前記栓棒の回転角度を９０度としたことを特徴とするものである。
【発明の効果】
【００１２】
この止水栓は、通路の閉鎖状態においてハンドルを開放位置の向きにて装着しようとしても、ハンドルの軸部が栓棒の一方の突起部に当接してハンドルを装着することができないようにしているので、従来の止水栓に見られるハンドルの誤操作により回転規制用突部を破損する等の不具合を確実に解消することができる。
【発明を実施するための最良の形態】
【００１３】
以下に、本発明の最良の形態例を図面に基づいて説明する。図１は本発明に係る止水栓の一部縦断側面図、図２は栓棒とガイドピンの位置関係を示す説明図、図３は図１におけるＡ−Ａ線断面図、図４は栓棒の斜視図である。
【００１４】
図１において、本発明に係る止水栓１は、水道水等の水の流入側にオネジ３が形成されて出口側に雌ネジ４が形成された栓本体２に、水の通路を開閉する公知のボール形弁１０を内装している。ボール形弁１０は、プラスチック製パッキン１１，１２によって水密に保持されている。出口側のパッキン１２は、雌ネジ４に螺着された管継ぎ手１３の内端部１３aに装着されている。
【００１５】
栓本体２の立上がり部５には、通水方向ｘと直交方向に軸孔６が設けられている。その軸孔６には、ボール形弁１０に先端部１５ａを連結すると共に径方向へ突出する回転規制用突部たる回転規制用ピン２０を有する栓棒１５が遊嵌されている。図３に示すように、栓棒１５は、栓本体２の一部である切欠き部７の壁面７ａ，７ｂに回転規制用ピン２０を当接させることにより所定角度範囲、この実施形態例では９０度だけ回転可能に設けられている。また、栓棒１５の頭部はセレーション軸１６とされ、頭部側縁、即ちセレーション軸１６に当該栓棒の回転角度（９０度）と同一角度間隔で突起部１７ａ，１７ｂが夫々設けられている。栓棒１５の他方の突起部１７ｂについては、通路の開放状態において、軸心方向から見て回転規制用ピン２０の位置に合致するように設けられている。１８は栓棒１５の上面に設けられた通水方向を表示するための直線形溝である。２２は栓棒１５に形成した２列の環状溝１９に夫々装着されたＯリングである。
【００１６】
２５は栓本体２の立上がり部５の外側に固定された筒部材である。この筒部材２５には、上記セレーション軸１６を臨ませるガイド孔２６及びガイド孔２６の径方向へ突出するガイドピン２７を備えている。図２（イ）に示すように、栓棒１５の一方の突起部１７ａは、通路の開放状態において、軸心方向から見てガイドピン２７の位置に合致するように設けられている。
【００１７】
本発明に係る止水栓１の開閉操作を行なうハンドル３０については、前述した従来のハンドルと同一構造とされているが、本発明と関連するので改めて説明する。
図５、図７に示すように、レバー形のハンドル３０は、筒部材２５のガイド孔２６に挿入するための軸部３１を備えている。軸部３１には、筒部材２５のガイドピン２７に係合可能な逆U字形の係合溝３２を形成すると共に栓棒１５のセレーション軸１６と嵌合可能なセレーション溝３３を凹部３１ｂに形成している。その係合溝３２については、軸心を中心とする一方の縦溝３２ａと他方の縦溝３２ｃとの角度間隔を栓棒１５の回転角度に合わせて９０度に設け、縦溝３２ａと他方の縦溝３２ｃの奥方が横溝３２ｂにより連通するように形成されている。
【００１８】
しかして、通路の開放状態にて、栓棒１５の一方の突起部１７ａをガイドピン２７の位置に合致させてハンドル３０の着脱を可能とし、通路の閉鎖状態にて、栓棒１５の他方の突起部１７ｂをガイドピン２７の位置に合致させてハンドル３０の着脱を可能とし、その閉鎖状態においてハンドル３０を開放位置の向き（レバー部３０ａが通水方向と同じ向き）にて装着する際に、同ハンドルの軸部３１の端面３１ａが栓棒１５の一方の突起部１７ａに当接してセレーション溝３３がセレーション軸１６に嵌合しないようにした本発明に係る止水栓１が構成される。
【００１９】
つぎに、本発明に係る止水栓１の作用・使用方法について説明する。
（１）図２（イ）に示す通路の開放状態において、ハンドル３０の一方の縦溝３２ａをガイドピン２７（及び一方の突起部１７ａ）に合わせて挿入する。このときに、ハンドル３０の他方の縦溝３２ｃは栓棒１５の他方の突起部１７ｂに係合し、ハンドル３０のセレーション溝３３は栓棒１５のセレーション軸１６に嵌合するので、ハンドル３０がレバー部３０ａを通水方向と同じ向きにして止水栓１に装着される。なお、栓棒１５の回転規制用ピン２０は、栓本体２の壁面７ａに当接している。
（２）（１）において、ハンドル３０を時計方向に回転させると、回転規制用ピン２０が栓本体２の壁面７ｂに当接してハンドル３０が停止し、図２（ロ）に示す通路の閉鎖状態となる。このときに、ハンドル３０のレバー部３０ａは、９０度回転して通水方向に対し直交する向きとなる。そこで、ハンドル３０を持ち上げれば、セレーション溝３３とセレーション軸１６との嵌合が解放されるので止水栓１から外すことができる。
（３）（２）において、ハンドル３０の一方の縦溝３２ａを栓棒１５の一方の突起部１７ａに、他方の縦溝３２ｃをガイドピン２７（及び他方の突起部１７ｂ）に合わせて挿入し、ハンドル３０を反時計方向に回転させると、回転規制用ピン２０が栓本体２の壁面７ａに当接してハンドル３０が停止し、図２（イ）に示す通路の開放状態に切り替えられる。
上記（１）〜（３）の操作は、止水栓１の通常の開閉操作である。
【００２０】
（２）において、通路が開放されていると勘違いして通路を閉鎖するためにハンドル３０の一方の縦溝３２ａをガイドピン２７（及び一方の突起部１７ａ）に合わせて挿入しようとすると、ハンドル３０の軸部３１の端面３１ａが栓棒１５の一方の突起部１７ａに当接するためハンドル３０を装着することができない。したがって、結果的に栓棒１５の回転規制用ピン２０を破損することを防止することができる。
【図面の簡単な説明】
【００２１】
【図１】本発明に係る止水栓の一部縦断側面図
【図２】栓棒とガイドピンの位置関係を示す説明図
【図３】図１におけるＡ−Ａ線断面図
【図４】栓棒の斜視図
【図５】ハンドルの軸部の説明図
【図６】従来の止水栓の説明図
【図７】ハンドルを装着した止水栓の平面図
【符号の説明】
【００２２】
１・・・止水栓
２・・・栓本体
１０・・・ボール形弁
１５・・・栓棒
１６・・・セレーション軸（栓棒の頭部）
１７ａ・・・一方の突起部
１７ｂ・・・他方の突起部
２０・・・回転規制用ピン（回転規制用突部）
２５・・・筒部材
２６・・・ガイド孔
２７・・・ガイドピン
３０・・・ハンドル
３１・・・軸部
３２・・・係合溝
３３・・・セレーション溝
【図１】
2010043659.tif 000003
【図２】
2010043659.tif 000004
【図３】
2010043659.tif 000005
【図４】
2010043659.tif 000006
【図５】
2010043659.tif 000007
【図６】
2010043659.tif 000008
【図７】
2010043659.tif 000009